(57)【要約】  本願の実施例は、無線通信方法及び機器を提供し、セルで送信される複数の同期信号ブロックのうちの少なくとも１つの同期信号ブロックの測定結果に基づいて、セルの信号品質を確定できるので、５Ｇシステムにおけるセル信号品質の判断を実現する。前記方法は、端末機器が第１のセルで送信される複数の同期信号ブロックのうちの少なくとも１つの同期信号ブロックを測定するステップと、測定結果に基づいて、前記端末機器が前記第１のセルに対応する信号品質を確定するステップとを含む。
2020530670.tif 000002
【特許請求の範囲】
【請求項１】
端末機器が第１のセルで送信される複数の同期信号ブロックのうちの少なくとも１つの同期信号ブロックを測定するステップと、
測定結果に基づいて、前記端末機器が前記第１のセルに対応する信号品質を確定するステップとを含む、ことを特徴とする無線通信方法。
【請求項２】
前記複数の同期信号ブロック内の各同期信号ブロックはそれぞれ異なる周波数領域リソースを占有する、ことを特徴とする請求項１に記載の方法。
【請求項３】
前記第１のセルは、前記端末機器の現在のサービングセル及び／又は前記端末機器の隣のセルを含む、ことを特徴とする請求項１または請求項２に記載の方法。
【請求項４】
前記方法は、さらに、
前記端末機器がネットワーク機器から送信される指示情報を受信し、前記指示情報は測定対象である前記少なくとも１つの同期信号ブロックを指示するために用いられることを含む、ことを特徴とする請求項１〜請求項３のいずれか１項に記載の方法。
【請求項５】
前記第１のセルは前記端末機器の現在のサービングセルであり、前記少なくとも１つの同期信号ブロックは前記端末機器が同期している同期信号ブロックである、ことを特徴とする請求項１〜請求項４のいずれか１項に記載の方法。
【請求項６】
前記少なくとも１つの同期信号ブロックは、前記第１のセルにおけるすべての同期信号ブロックである、ことを特徴とする請求項１〜請求項４のいずれか１項に記載の方法。
【請求項７】
前記少なくとも１つの同期信号ブロックは、前記端末機器の動作帯域幅内のすべての同期信号ブロックである、ことを特徴とする請求項１〜請求項４のいずれか１項に記載の方法。
【請求項８】
前記少なくとも１つの同期信号ブロックは、設定された同期信号ブロックセット内のすべての同期信号ブロックである、ことを特徴とする請求項１〜請求項４のいずれか１項に記載の方法。
【請求項９】
測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果を処理して、前記第１のセルに対応する信号品質を確定することを含む、ことを特徴とする請求項１〜請求項８のいずれか１項に記載の方法。
【請求項１０】
測定された前記複数の同期信号ブロックの測定結果を処理して、前記第１のセルに対応する信号品質を確定することは、
測定された前記複数の同期信号ブロックの測定結果に対して平均化処理を行って、前記第１のセルに対応する信号品質を確定することを含む、ことを特徴とする請求項９に記載の方法。
【請求項１１】
測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定することを含む、ことを特徴とする請求項１〜請求項８のいずれか１項に記載の方法。
【請求項１２】
前記方法は、さらに、
前記第１のセルに対応する信号品質が第１トリガー要件を満たすとき、前記第１トリガー要件に対応する操作を実行することを含む、ことを特徴とする請求項１〜請求項１１のいずれか１項に記載の方法。
【請求項１３】
前記第１トリガー要件に対応する操作とは、前記第１のセルに対応する信号品質を指示する情報の報知を開始することである、ことを特徴とする請求項１２に記載の方法。
【請求項１４】
前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定することによって取得されたものである、ことを特徴とする請求項１２に記載の方法。
【請求項１５】
第１のセルで送信される複数の同期信号ブロックのうちの少なくとも１つの同期信号ブロックを測定するために用いられる測定ユニットと、
測定結果に基づいて、前記第１のセルに対応する信号品質を確定するために用いられる確定ユニットとを含む、ことを特徴とする端末機器。
【請求項１６】
前記複数の同期信号ブロック内の各同期信号ブロックはそれぞれ異なる周波数領域リソースを占有する、ことを特徴とする請求項１５に記載の端末機器。
【請求項１７】
前記第１のセルは、前記端末機器の現在のサービングセル及び／又は前記端末機器の隣のセルを含む、ことを特徴とする請求項１５または請求項１６に記載の端末機器。
【請求項１８】
前記端末機器は、さらに、
ネットワーク機器から送信される指示情報を受信するために用いられ、ただし、前記指示情報は測定対象である前記少なくとも１つの同期信号ブロックを指示するために用いられる通信ユニットを含む、ことを特徴とする請求項１５〜請求項１７のいずれか１項に記載の端末機器。
【請求項１９】
前記第１のセルは前記端末機器の現在のサービングセルであり、前記少なくとも１つの同期信号ブロックは前記端末機器が同期している同期信号ブロックである、ことを特徴とする請求項１５〜請求項１８のいずれか１項に記載の端末機器。
【請求項２０】
前記少なくとも１つの同期信号ブロックは、前記第１のセルにおけるすべての同期信号ブロックである、ことを特徴とする請求項１５〜請求項１８のいずれか１項に記載の端末機器。
【請求項２１】
前記少なくとも１つの同期信号ブロックは、前記端末機器の動作帯域幅内のすべての同期信号ブロックである、ことを特徴とする請求項１５〜請求項１８のいずれか１項に記載の端末機器。
【請求項２２】
前記少なくとも１つの同期信号ブロックは、設定された同期信号ブロックセット内のすべての同期信号ブロックである、ことを特徴とする請求項１５〜請求項１８のいずれか１項に記載の端末機器。
【請求項２３】
前記確定ユニットは、さらに、
測定される同期信号ブロックが複数の同期信号ブロックを含む場合、測定された前記複数の同期信号ブロックの測定結果を処理して、前記第１のセルに対応する信号品質を確定するために用いられる、ことを特徴とする請求項１５〜請求項２２のいずれか１項に記載の端末機器。
【請求項２４】
前記確定ユニットは、さらに、
測定された前記複数の同期信号ブロックの測定結果に対して平均化処理を行って、前記第１のセルに対応する信号品質を確定するために用いられる、ことを特徴とする請求項２３に記載の端末機器。
【請求項２５】
前記確定ユニットは、さらに、
測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定するために用いられる、ことを特徴とする請求項１５〜請求項２２のいずれか１項に記載の端末機器。
【請求項２６】
前記端末機器は、さらに、
前記第１のセルに対応する信号品質が第１トリガー要件を満たすとき、前記第１トリガー要件に対応する操作を実行するために用いられる実行ユニットを含む、ことを特徴とする請求項１５〜請求項２５のいずれか１項に記載の端末機器。
【請求項２７】
前記第１トリガー要件に対応する操作とは、前記第１のセルに対応する信号品質を指示する情報の報知を開始することである、ことを特徴とする請求項２６に記載の端末機器。
【請求項２８】
前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定することによって取得されたものである、ことを特徴とする請求項２６に記載の端末機器。
【発明の詳細な説明】
【技術分野】
【０００１】
本願は、通信分野に関し、より具体的には、無線通信方法及び機器に関する。
【背景技術】
【０００２】
ロング・ターム・エボリューション（Ｌｏｎｇ  Ｔｅｒｍ  Ｅｖｏｌｕｔｉｏｎ、略称「ＬＴＥ」）システムにおいて、端末機器は、セルの信号品質を取得するために、基地局から送信される参照信号を測定できる。
【０００３】
端末機器は、当該セルの信号品質に基づいて、セルの切り替えをトリガーしてもしなくてもよい。
【発明の概要】
【発明が解決しようとする課題】
【０００４】
将来の５Ｇシステムにおいて、セルの信号品質をどのように判定するかが解決すべき課題になっている。
【課題を解決するための手段】
【０００５】
本願の実施例は、無線通信方法及び機器を提供し、セルで送信される複数の同期信号ブロックのうちの少なくとも１つの同期信号ブロックの測定結果に基づいて、セルの信号品質を判断することができ、５Ｇシステムにおけるセル信号品質の判断を実現する。
【０００６】
第１の態様では、無線通信方法を提供し、前記方法は、
端末機器が第１のセルで送信される複数の同期信号ブロックのうちの少なくとも１つの同期信号ブロックを測定するステップと、
測定結果に基づいて、前記端末機器が前記第１のセルに対応する信号品質を確定するステップとを含む。
【０００７】
したがって、本願の実施例において、セルで送信される複数の同期信号ブロックのうちの少なくとも１つの同期信号ブロックの測定結果に基づいて、セルの信号品質を判断することができ、５Ｇシステムにおけるセル信号品質の判断を実現する。
【０００８】
第１の態様を参照して、第１の態様の可能な実施形態において、前記複数の同期信号ブロック内の各同期信号ブロックはそれぞれ異なる周波数領域リソースを占有する。
【０００９】
第１の態様またはその上記の可能な実施形態のいずれかを参照して、第１の態様の別の可能な実施形態において、前記第１のセルは、前記端末機器の現在のサービングセル及び／又は前記端末機器の隣のセルを含む。
【００１０】
第１の態様またはその上記の可能な実施形態のいずれかを参照して、第１の態様の別の可能な実施形態において、前記方法は、さらに、
前記端末機器が前記ネットワーク機器から送信される指示情報を受信し、前記指示情報は測定対象である前記少なくとも１つの同期信号ブロックを指示するために用いられることを含む。
【００１１】
第１の態様またはその上記の可能な実施形態のいずれかを参照して、第１の態様の別の可能な実施形態において、前記第１のセルは前記端末機器の現在のサービングセルであり、前記少なくとも１つの同期信号ブロックは前記端末機器が同期している同期信号ブロックである。
【００１２】
このような実施形態によれば、端末機器が同期している同期信号ブロックのみに基づいて測定すればよいため、測定する必要がある同期信号ブロックの数が少なく、端末機器にかける負担が軽い。
【００１３】
第１の態様またはその上記の可能な実施形態のいずれかを参照して、第１の態様の別の可能な実施形態において、前記少なくとも１つの同期信号ブロックは、前記第１のセルにおけるすべての同期信号ブロックである。
【００１４】
このような実施形態によれば、端末機器は第１のセルのすべての同期信号ブロックを測定することができ、すべての同期信号ブロックの測定結果を総合して、第１のセルに対応する信号品質を確定することができる。
【００１５】
このような実施形態に対して、第１のセルが端末機器の現在のサービングセルであれば、当該コンポーネントキャリアに信号品質がよい一部の周波数リソースがあると、端末機器はイベントの報知をトリガーする必要がなく、端末機器が別のセルに切り替える確率が低下し、可能な限り当該セルの異なる周波数リソースを使用してユーザによいサービスを提供することを実現できる。
【００１６】
第１の態様またはその上記の可能な実施形態のいずれかを参照して、第１の態様の別の可能な実施形態において、前記少なくとも１つの同期信号ブロックは、前記端末機器の動作帯域幅内のすべての同期信号ブロックである。
【００１７】
このような実施形態によれば、端末機器が自分の動作帯域幅以外のＳＳ  ｂｌｏｃｋを測定することを回避することができ、端末機器の異なる周波数リソースでの過度な測定を回避することができ、端末機器が測定を行うとき、測定のために端末機器を対応する周波数リソースに調整する必要があるので、処理が複雑になる。
【００１８】
第１の態様またはその上記の可能な実施形態のいずれかを参照して、第１の態様の別の可能な実施形態において、前記少なくとも１つの同期信号ブロックは、設定された同期信号ブロックセット内のすべての同期信号ブロックである。
【００１９】
具体的には、帯域幅のコンポーネントキャリア内の１つの同期信号ブロックセットにおける同期信号ブロックを事前設定（工場出荷時の事前設定またはネットワーク機器の事前設定）して測定することができ、当該同期信号ブロックセットに含まれる同期信号ブロックを実際の状況に応じて変更できる。当該同期信号ブロックセットはセル内の全部または一部の同期信号ブロックを含んでもよい。
【００２０】
第１の態様またはその上記の可能な実施形態のいずれかを参照して、第１の態様の別の可能な実施形態において、測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果を処理して、前記第１のセルに対応する信号品質を確定することを含む。
【００２１】
第１の態様またはその上記の可能な実施形態のいずれかを参照して、第１の態様の別の可能な実施形態において、測定された前記複数の同期信号ブロックの測定結果を処理して、前記第１のセルに対応する信号品質を確定することは、
測定された前記複数の同期信号ブロックの測定結果に対して平均化処理を行って、前記第１のセルに対応する信号品質を確定することを含む。
【００２２】
第１の態様またはその上記の可能な実施形態のいずれかを参照して、第１の態様の別の可能な実施形態において、測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定することを含む。
【００２３】
第１の態様またはその上記の可能な実施形態のいずれかを参照して、第１の態様の別の可能な実施形態において、前記方法は、さらに、
前記第１のセルに対応する信号品質が第１トリガー要件を満たすとき、前記第１トリガー要件に対応する操作を実行することを含む。
【００２４】
第１の態様またはその上記の可能な実施形態のいずれかを参照して、第１の態様の別の可能な実施形態において、前記第１トリガー要件に対応する操作とは、前記第１のセルに対応する信号品質を指示する情報の報知を開始することである。
【００２５】
第１の態様またはその上記の可能な実施形態のいずれかを参照して、第１の態様の別の可能な実施形態において、前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定して取得するものである。
【００２６】
第２の態様では、上記第１の態様または第１の態様の可能な実施形態のいずれかにおける方法を実行するための端末機器を提供する。具体的には、前記端末機器は、上記第１の態様または第１の態様の可能な実施形態のいずれかにおける方法を実行するための機能モジュールを含む。
【００２７】
第３の態様では、プロセッサ、メモリ、及びトランシーバーを含む端末機器を提供する。前記プロセッサと、前記メモリと、前記トランシーバーとは、内部接続ルートを経由して互いに通信し、制御及び／又はデータ信号を伝達することにより、前記端末機器が上記第１の態様または第１の態様の可能な実施形態のいずれかにおける方法を実行する。
【００２８】
第４の態様では、コンピュータプログラムを格納するためのコンピュータ可読媒体を提供し、前記コンピュータプログラムは、上記のいずれか１つの方法または可能な実施形態のいずれを実行するためのコマンドを含む。
【００２９】
第５の態様では、コマンドを含むコンピュータプログラム製品を提供し、それがコンピュータ上で実行されると、コンピュータが上記のいずれか１つの方法または可能な実施形態のいずれかにおける方法を実行する。
【図面の簡単な説明】
【００３０】
本願の実施例の技術的解決手段をより明確に説明するために、以下、実施例または既存技術の説明に必要な添付図面を簡単に説明するが、以下の説明における添付図面は、本願の一部の実施例にすぎず、当業者であれば、創造的な働きなしにこれらの添付図面に基づいて他の添付図面を取得することもできることは明らかである。
【図１】本願の実施例の無線通信システムの概略図である。
【図２】本願の実施例の無線通信方法の概略フローチャートである。
【図３】本願の実施例の同期信号ブロックの概略分布図である。
【図４】本願の実施例の端末機器の概略ブロック図である。
【図５】本願の実施例のシステムチップの概略ブロック図である。
【図６】本願の実施例の通信機器の概略ブロック図である。
【発明を実施するための形態】
【００３１】
以下、本願の実施例における添付図面を参照しながら、本願の実施例における技術的解決手段について説明を行うが、説明された実施例は本願の一部にすぎず、全部の実施例ではない。本願の実施例に基づいて、当業者が創造的な働きなしに得た他の実施例は、いずれも本発明の保護範囲に属すことは明らかである。
【００３２】
本願の実施例の技術的解決手段は様々な通信システム、例えば、グローバルなモバイル通信（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロング・ターム・エボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システムまたは将来の５Ｇシステム（新しい無線（Ｎｅｗ  Ｒａｄｉｏ、ＮＲ）システムとも呼ばれる）などに適用されることができる。
【００３３】
図１は、本願の実施例に適用される無線通信システム１００を示す。無線通信システム１００は、ネットワーク機器１１０を含んでもよい。ネットワーク機器１１０は、端末機器と通信する機器であってもよい。ネットワーク機器１１０は、特定の地理的地域に通信サービスを提供し、当該サービスエリア内に位置する端末機器（例えばＵＥ）と通信することができる。選択的に、当該ネットワーク機器１１０は、ＧＳＭシステムまたはＣＤＭＡシステムにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｕｔｉｏｎａｌ  Ｎｏｄｅ  Ｂ、略称ｅＮＢまたはｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）における無線コントローラであってもよく、または当該ネットワーク機器は、中継局、アクセスポイント、車載機器、ウェアラブル機器、将来の５Ｇネットワークにおけるネットワーク側機器もしくは将来の進化型地上波公共移動通信ネットワーク（Ｐｕｂｌｉｃ  ｌａｎｄ  ｍｏｂｉｌｅ  ｎｅｔｗｏｒｋ、略称ＰＬＭＮ）におけるネットワーク機器などであってもよい。
【００３４】
無線通信システム１００は、さらに、ネットワーク機器１１０のサービス範囲内に位置する少なくとも１つの端末機器１２０を含む。端末機器１２０は、移動型であっても固定型であってもよい。選択的に、端末機器１２０は、アクセス端末、ユーザ機器（Ｕｓｅｒ  Ｅｑｕｉｐｍｅｎｔ、略称ＵＥ）、ユーザユニット、加入者局、移動局、モバイルステーション、遠隔局、遠隔端末、移動機器、ユーザ端末、端末、無線通信機器、ユーザ代理機器またはユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスタント（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器または無線モデムに接続されたその他の処理機器、車載機器、ウェアラブル機器、将来の５Ｇネットワークにおける端末機器または将来の進化型ＰＬＭＮにおける端末機器などであってもよい。
【００３５】
選択的に、端末機器１２０同士は端末間直接通信（Ｄｅｖｉｃｅ  ｔｏ  Ｄｅｖｉｃｅ、Ｄ２Ｄ）を行うができる。
【００３６】
選択的に、５Ｇシステムまたはネットワークは、更に新しい無線（Ｎｅｗ  Ｒａｄｉｏ、ＮＲ）システムまたはネットワークとも呼ばれる。
【００３７】
図１は、１つのネットワーク機器及び２つの端末機器を例示的に示し、選択的に、当該無線通信システム１００は、複数のネットワーク機器を含んでもよく、各ネットワーク機器のサービスエリアに含まれている端末機器の数は異なってもよく、本願の実施例ではこれについて限定しない。
【００３８】
選択的に、当該無線通信システム１００は、さらに、ネットワークコントローラ、移動管理エンティティなどの他のネットワークエンティティを含んでもよく、本願の実施例ではこれについて限定しない。
【００３９】
本明細書において、用語「システム」と「ネットワーク」はよく交換的用語として使用される。本明細書において、用語「及び／又は」は、関連対象の関連関係を説明するだけのもので、３つの関係があり得ることを表すと理解すべきである。例えば、Ａ及び／又はＢは、Ａだけある場合、ＡとＢ両方ともある場合、及びＢだけある場合という３つの場合を表す。また、本明細書において、符号「／」は、一般的にコンテキストオブジェクトが「または」という関係であることを示す。
【００４０】
図２は、本願の実施例に係る無線通信方法２００の概略フローチャートである。当該方法２００は、選択的に、図１に示すシステムに適用できるが、これに限定されない。図２に示すように、方法２００は、少なくとも以下の内容の一部を含む。
【００４１】
ステップ２１０において、端末機器が第１のセルで送信される複数の同期信号ブロックのうちの少なくとも１つの同期信号ブロックを測定する。
【００４２】
選択的に、本願の実施例のセルはキャリア（コンポーネントキャリア）と同等なものであり得る。
【００４３】
選択的に、本願の実施例において、前記複数の同期信号ブロック（Ｓｙｎｃｈｒｏｎｉｚａｔｉｏｎ  Ｓｉｇｎａｌ  Ｂｌｏｃｋ、ＳＳＢ）内の各同期信号ブロックはそれぞれ異なる周波数領域リソースを占有する。同期信号ブロック同士間の周波数領域リソースを選択的に重畳しないようにする。
【００４４】
５Ｇシステムの場合、帯域幅が非常に広い広帯域のコンポーネントキャリア、例えば帯域幅が４００ＭＨｚ、さらに１ＧＨｚの広帯域のコンポーネントキャリアをサポートできる。非常に広い帯域幅を有する広帯域のコンポーネントキャリアである場合、異なる周波数位置の伝達特性が大きく異なる可能性がある。例えば、広帯域のコンポーネントキャリアの高周波数帯と低周波数帯での経路損失などが大きく異なる。これに基づいて、帯域幅のコンポーネントキャリア内で複数のＳＳ  Ｂｌｏｃｋを送信できる。
【００４５】
端末機器の場合、使用シナリオ及びコストが異なることを考慮して、同じシステムの広帯域のコンポーネントキャリア内に様々な動作帯域幅を有する端末が分散され、例えばシステムの帯域幅が４００ＭＨｚであれば、帯域幅が４００ＭＨｚの端末が分散される可能性があり、また帯域幅が１００ＭＨｚ、４０ＭＨｚ、１０ＭＨｚの端末機器が分散されている可能性もある。すると、システム広帯域のコンポーネントキャリア内にＳＳ  ｂｌｏｃｋの位置が１つしかない場合、動作帯域幅が狭い端末の動作帯域幅内にはＳＳ  ｂｌｏｃｋがない可能性があり、したがって、端末機器の動作帯域幅または附近にＳＳ  Ｂｌｏｃｋがある確率が増加するように、送信されるＳＳ  Ｂｌｏｃｋの位置を増加してもよい。ここで、端末機器は時間周波数同期、無線リソース管理（Ｒａｄｉｏ  Ｒｅｓｏｕｒｃｅ  Ｍａｎａｇｅｍｅｎｔ、ＲＲＭ）測定の実施及び物理ブロードキャストチャネル（Ｐｈｙｓｉｃａｌ  Ｂｒｏａｄｃａｓｔｉｎｇ  Ｃｈａｎｎｅｌ、ＰＢＣＨ）の読み取りのためにＳＳ  Ｂｌｏｃｋを受信する必要があるとき、ＳＳ  ｂｌｏｃｋがある周波数位置まで周波数変調することができる。
【００４６】
５Ｇシステムにおいて、ネットワーク機器は端末機器に複数の同期信号ブロック（Ｓｙｎｃｈｒｏｎｉｚａｔｉｏｎ  Ｓｉｇｎａｌ  ｂｌｏｃｋ）を含むＳＳ  ｂｕｒｓｔ  ｓｅｔを送信でき、各々のＳＳ  ｂｌｏｃｋ（ＳＳＢ）内に、プライマリ同期信号（Ｐｒｉｍａｒｙ  Ｓｙｎｃｈｒｏｎｉｚａｔｉｏｎ  Ｓｉｇｎａｌ、ＰＳＳ）、セカンダリ同期信号（Ｓｅｃｏｎｄａｒｙ  Ｓｙｎｃｈｒｏｎｉｚａｔｉｏｎ  Ｓｉｇｎａｌ、ＳＳＳ）、及び物理ブロードキャストチャネル（Ｐｈｙｓｉｃａｌ  Ｂｒｏａｄｃａｓｔｉｎｇ  Ｃｈａｎｎｅｌ、ＰＢＣＨ）を含む。また、ＳＳ  ｂｌｏｃｋのシステム帯域幅内での周波数位置はシステム帯域幅の中心周波数点位置に限定されない。例えば、図３に示すように、帯域幅のコンポーネントキャリアの帯域幅内でＳＳＢ１、ＳＳＢ２、ＳＳＢ３、及びＳＳＢ４を送信でき、当該４つのＳＳＢは異なる周波数領域リソースを占有できる。
【００４７】
選択的に、本願の実施例において、前記第１のセルは、前記端末機器の現在のサービングセルまたは前記端末機器の隣のセルである。ここで、当該隣のセルは端末機器に属するサービングセルと、同じネットワーク（例えば、両方ともＮＲシステムである）に属してもよく、または異なるネットワーク（例えば、サービングセルはＮＲシステムで、隣のセルはＬＴＥシステムに属す）に属してもよい。
【００４８】
選択的に、本願の実施例において、ネットワーク機器は端末機器に、測定対象である少なくとも１つの同期信号ブロックを指示するための指示情報を送信してもよく、端末機器はネットワーク機器から送信される指示情報に基づいて、対応する同期信号ブロック上で測定してもよい。
【００４９】
選択的に、本実施例において、端末機器に測定が必要な同期信号ブロックを事前に設定（工場出荷時の事前設定）してもよく、ネットワーク機器が指示する必要がない。
【００５０】
ステップ２２０において、測定結果に基づいて、前記端末機器が前記第１のセルに対応する信号品質を確定する。
【００５１】
選択的に、本願の実施例に係る測定結果は、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、またはＲＳＲＰに類似する信号強度などのような信号強度を含んでもよく、及び／又は、参照信号受信品質（Ｒｅｆｅｒｅｎｃｅ  Ｓｉｇｎａｌ  Ｒｅｃｅｉｖｉｎｇ    Ｑｕａｌｉｔｙ、ＲＳＲＱ）、信号対干渉および雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、またはＲＳＲＱやＳＩＮＲに類似する値のような信号対干渉の関係値を含んでもよい。
【００５２】
選択的に、測定される同期信号ブロックが複数の同期信号ブロックを含む場合、測定された前記複数の同期信号ブロックの測定結果を処理して、前記第１のセルに対応する信号品質を確定する。
【００５３】
具体的には、測定された前記複数の同期信号ブロックの測定結果に対して平均化処理を行って、前記第１のセルに対応する信号品質を確定する。ここで、当該処理は、算術平均化処理であっても、加重平均化処理であってもよい。
【００５４】
選択的に、本願の実施例において、測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定する。
【００５５】
１つの実施形態において、前記第１のセルは前記端末機器の現在のサービングセルであり、測定される前記少なくとも１つの同期信号ブロックは前記端末機器が同期している同期信号ブロックである。
【００５６】
このような実施形態によれば、端末機器が同期している同期信号ブロックのみに基づいて測定すればよいため、測定する必要がある同期信号ブロックの数が少なく、端末機器にかける負担が軽い。
【００５７】
端末機器が同期している同期信号ブロックを測定するとき、当該測定される同期信号ブロックは１つのみであり、１つの同期信号の測定結果を第１のセルに対応する信号品質として確定できる。
【００５８】
１つの実施形態において、測定される前記少なくとも１つの同期信号ブロックは、前記第１のセルにおけるすべての同期信号ブロックである。
【００５９】
このような実施形態によれば、端末機器は第１のセルのすべての同期信号ブロックを測定することができ、すべての同期信号ブロックの測定結果を総合して、第１のセルに対応する信号品質を確定することができる。
【００６０】
このような実施形態に対して、第１のセルが端末機器の現在のサービングセルであれば、当該コンポーネントキャリアに信号品質がよい一部の周波数リソースがあると、端末機器はイベントの報知をトリガーする必要がなく、端末機器が別のセルに切り替える確率が低下し、可能な限り当該セルの異なる周波数リソースを使用してユーザによいサービスを提供することを実現できる。
【００６１】
１つの実施形態において、測定される前記少なくとも１つの同期信号ブロックは、前記端末機器の動作帯域幅内のすべての同期信号ブロックである。
【００６２】
具体的には、端末機器は自体の動作帯域幅で検出された同期信号ブロックを測定できる。
【００６３】
例えば、ネットワーク側から見て、１つのコンポーネントキャリアは４００ＭＨｚであり、１００ＭＨｚあたりに１つのＳＳ  ｂｌｏｃｋを含み、ＵＥ自体の帯域幅は２００ＭＨｚであり、対応するコンポーネントキャリアの低周波数２００ＭＨｚが２つのＳＳ  ｂｌｏｃｋをカバーすると、この２つのＳＳ  ｂｌｏｃｋを測定する。
【００６４】
このような実施形態によれば、端末機器が自分の動作帯域幅以外のＳＳ  ｂｌｏｃｋを測定することを回避することができ、端末機器の異なる周波数リソースでの過度な測定を回避することができ、端末機器が測定を行うとき、測定のために端末機器を対応する周波数リソースに調整する必要があるので、処理が複雑になる。
【００６５】
１つの実施形態において、前記少なくとも１つの同期信号ブロックは、設定された同期信号ブロックセット内のすべての同期信号ブロックである。
【００６６】
具体的には、帯域幅のコンポーネントキャリア内の１つの同期信号ブロックセットにおける同期信号ブロックを事前設定（工場出荷時の事前設定またはネットワーク機器事前設定）して測定してもよく、当該同期信号ブロックセットは、同期信号ブロックを含み、実際の状況に応じて変更できる。当該同期信号ブロックセットは、セル内の全部または一部の同期信号ブロックを含んでもよい。
【００６７】
選択的に、本願の実施例において、前記第１のセルに対応する信号品質が第１トリガー要件を満たすとき、前記第１トリガー要件に対応する操作を実行する。
【００６８】
１つの実施形態において、前記第１トリガー要件に対応する操作とは、前記第１のセルに対応する信号品質を指示する情報の報知を開始することである。
【００６９】
例えば、第１のセルが端末機器の現在のサービングセルである場合、第１のセルに対応する信号品質が特定値より悪ければ、端末機器は第１のセルに対応する信号品質を指示する情報の報知を開始してもよく、それによりネットワーク機器は当該情報に基づいて、端末機器のセルを切り替える否かを確定する。
【００７０】
例えば、第１のセルが端末機器に隣接するセルである場合、第１のセルに対応する信号品質が特定値より良ければ、端末機器は第１のセルに対応する信号品質を指示する情報の報知を開始してもよく、それにより端末機器は当該情報に基づいて、端末機器のセルを切り替えるか否かを確定することができる。
【００７１】
例えば、第１のセルが端末機器の現在のサービングセル及び隣接するセルを含む場合、現在のサービングセルに対応する信号品質が特定値より悪く、且つ端末機器の隣のセルの信号品質が特定値より良ければ、端末機器は当該現在のサービングセル及び隣接するセルの信号品質を指示する情報の報知を開始してもよく、それにより端末機器は当該情報に基づいて、端末機器のセルを切り替えるか否かを確定する。
【００７２】
１つの実施形態において、前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定することによって取得されたものである。
【００７３】
例えば、第１のセルが端末機器の現在のサービングセルである場合、第１のセルに対応する信号品質が特定値より悪ければ、端末機器は隣接するセルの同期信号ブロック及び／又は参照信号を測定してもよく、及び／又は当該隣接するセルに対応する信号品質を指示する情報の報知を開始してもよく、後続のセルの切り替えをする可能性のために備えておく。
【００７４】
例えば、第１のセルが端末機器に隣接するセルである場合、第１のセルに対応する信号品質が特定値より悪ければ、端末機器は他の隣接するセルの同期信号ブロック及び／又は参照信号を測定してもよく、及び／又は当該他の隣接するセルに対応する信号品質を指示する情報の報知を開始してもよく、後続の可能なセルの切り替えのために準備する。
【００７５】
選択的に、本願の実施例に係る参照信号は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，  ＣＳＩ−ＲＳ）または下りセル固有信号（Ｃｅｌｌ−Ｓｐｅｃｉｆｉｃ  Ｒｅｆｅｒｅｎｃｅ  Ｓｉｇｎａｌ、ＣＲＳ）であってもよい。
【００７６】
選択的に、当該第２のセルは、第１のセルと同じネットワークまたは異なるネットワークであってもよい。
【００７７】
理解を容易にするために、以下では幾つのイベントを組み合わせて説明する。
【００７８】
イベントＡ１  （Ｓｅｒｖｉｎｇ  ｂｅｃｏｍｅｓ  ｂｅｔｔｅｒ  ｔｈａｎ  ｔｈｒｅｓｈｏｌｄ）：サービングセルの信号品質が特定の閾値より高いことを表し、この要件を満たすイベントが報知されると、ネットワーク機器が異なる周波数／異なるシステムの測定を中止できる。
【００７９】
イベント  Ａ２  （Ｓｅｒｖｉｎｇ  ｂｅｃｏｍｅｓ  ｗｏｒｓｅ  ｔｈａｎ  ｔｈｒｅｓｈｏｌｄ）：サービングセル信号品質が特定の閾値より低いことを表し、この要件を満たすイベントが報知されると、ネットワーク機器が異なる周波数／異なるシステムの測定を開始できる。
【００８０】
イベントＡ３  （Ｎｅｉｇｈｂｏｕｒ  ｂｅｃｏｍｅｓ  ｏｆｆｓｅｔ  ｂｅｔｔｅｒ  ｔｈａｎ  ｓｅｒｖｉｎｇ）：周波数が同じである隣のセルの信号品質がサービングセルの信号品質より良いことを表し、この要件を満たすイベントが報知されると、ネットワーク機器は周波数が同じであるものとのハンドオーバ要求を開始する。
【００８１】
イベントＡ４  （Ｎｅｉｇｈｂｏｕｒ  ｂｅｃｏｍｅｓ  ｂｅｔｔｅｒ  ｔｈａｎ  ｔｈｒｅｓｈｏｌｄ）：周波数が異なる隣のセルの信号品質が特定の閾値より高いことを表し、この要件を満たすイベントが報知されると、ネットワーク機器は周波数が異なるものとのハンドオーバ要求を開始する。
【００８２】
イベント  Ａ５  （Ｓｅｒｖｉｎｇ  ｂｅｃｏｍｅｓ  ｗｏｒｓｅ  ｔｈａｎ  ｔｈｒｅｓｈｏｌｄ１  ａｎｄ  ｎｅｉｇｈｂｏｕｒ  ｂｅｃｏｍｅｓ  ｂｅｔｔｅｒ  ｔｈａｎ  ｔｈｒｅｓｈｏｌｄ２）：サービングセルの信号品質が特定の閾値より低く且つ隣のセルの信号品質が特定の閾値より高いことを表す。
【００８３】
イベント  Ｂ１  （Ｉｎｔｅｒ  ＲＡＴ  ｎｅｉｇｈｂｏｕｒ  ｂｅｃｏｍｅｓ  ｂｅｔｔｅｒ  ｔｈａｎ  ｔｈｒｅｓｈｏｌｄ）：システムが異なる隣のセルの信号品質が特定の閾値より高いことを表し、この要件を満たすイベントが報知されると、ネットワーク機器はシステムが異なるものとのハンドオーバ要求を開始する。
【００８４】
イベントＢ２  （Ｓｅｒｖｉｎｇ  ｂｅｃｏｍｅｓ  ｗｏｒｓｅ  ｔｈａｎ  ｔｈｒｅｓｈｏｌｄ１  ａｎｄ  ｉｎｔｅｒ  ＲＡＴ  ｎｅｉｇｈｂｏｕｒ  ｂｅｃｏｍｅｓ  ｂｅｔｔｅｒ  ｔｈａｎ  ｔｈｒｅｓｈｏｌｄ２）：サービングセルの信号品質が特定の閾値より低く且つ異なるシステムの隣のセルの信号品質が特定の閾値より高いことを表す。
【００８５】
上記イベントをより明確に理解するために、以下、Ａ２及びＡ３イベントを組み合わせて詳細に説明する。
【００８６】
Ａ２イベント
Ａ２イベントのトリガー要件は、
2020530670.tif 000003
であり、
Ａ２イベントのキャンセル要件は、
2020530670.tif 000004
であり、
ここで、Ｍｓはサービングセルの測定結果であり、Ｈｙｓはイベントの遅延パラメータであり、Ｔｈｒｅｓｈはイベントのトリガー閾値である。
【００８７】
Ａ３イベント
Ａ３イベントのトリガー要件は、
2020530670.tif 000005
であり、
Ａ３イベントのキャンセル要件は、
2020530670.tif 000006
であり、
ここで、Ｍｎは隣のセルの測定結果であり、Ｏｆｎは隣のセルの周波数の特定偏差であり、Ｏｃｎは隣のセルのセル特定偏差であり、Ｍｓは現在のサービングセルの測定値であり、Ｏｆｓはサービングセルの周波数特定偏差であり、Ｏｃｓは隣のセルのセル特定偏差であり、Ｈｙｓは当該イベントの遅延パラメータである。
【００８８】
なお、本願の実施例における測定の報知をトリガーするイベントは、他のイベントであってもよく、本願の実施例の構成は以上のイベントに特に限定されないものであることを理解されたい。
【００８９】
したがって、本願の実施例において、セルで送信される複数の同期信号ブロックのうちの少なくとも１つの同期信号ブロックの測定結果に基づいて、セルの信号品質を確定できるので、５Ｇシステムにおけるセルの信号品質の判断を実現する。
【００９０】
図４は、本願の実施例に係る端末機器３００の概略ブロック図である。図４に示すように、当該端末機器３００は、
第１のセルで送信される複数の同期信号ブロックのうちの少なくとも１つの同期信号ブロックを測定するために用いられる測定ユニット３１０と、
測定結果に基づいて、前記第１のセルに対応する信号品質を確定するために用いられる確定ユニット３２０とを含む。
【００９１】
選択的に、前記複数の同期信号ブロック内の各同期信号ブロックはそれぞれ異なる周波数領域リソースを占有する。
【００９２】
選択的に、前記第１のセルは、前記端末機器の現在のサービングセルまたは前記端末機器の隣のセルである。
【００９３】
選択的に、図４に示すように、前記端末機器３００は、さらに、
前記ネットワーク機器から送信される指示情報を受信するために用いられ、ただし、前記指示情報は測定対象である前記少なくとも１つの同期信号ブロックを指示するために用いられる通信ユニット３３０を含む。
【００９４】
選択的に、前記第１のセルは前記端末機器の現在のサービングセルであり、前記少なくとも１つの同期信号ブロックは前記端末機器が同期している同期信号ブロックである。
【００９５】
選択的に、前記少なくとも１つの同期信号ブロックは、前記第１のセルにおけるすべての同期信号ブロックである。
【００９６】
選択的に、前記少なくとも１つの同期信号ブロックは、前記端末機器の動作帯域幅内のすべての同期信号ブロックである。
【００９７】
選択的に、前記少なくとも１つの同期信号ブロックは、設定された同期信号ブロックセット内のすべての同期信号ブロックである。
【００９８】
選択的に、前記確定ユニット３２０は、さらに、
測定される同期信号ブロックが複数の同期信号ブロックを含む場合、測定された前記複数の同期信号ブロックの測定結果を処理して、前記第１のセルに対応する信号品質を確定するために用いられる。
【００９９】
選択的に、図４に示すように、前記端末機器は、さらに、
前記第１のセルに対応する信号品質が第１トリガー要件を満たすとき、前記第１トリガー要件に対応する操作を実行するために用いられる実行ユニット３４０を含む。
【０１００】
選択的に、前記第１トリガー要件に対応する操作とは、前記第１のセルに対応する信号品質を指示する情報の報知を開始することである。
【０１０１】
選択的に、前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定することによって取得されたものである。
【０１０２】
なお、当該端末機器３００は、方法の実施例における端末機器に対応でき、当該方法の実施例で端末機器により実施される操作を実現できることを理解されたい。ここでは、簡潔のために詳細な説明を省略する。
【０１０３】
図５は、本願の実施例のシステムチップ４００の１つの概略構造図である。図５のシステムチップ４００は、入力インターフェース４０１と、出力インターフェース４０２とを含み、前記プロセッサ４０３とメモリ４０４との間は内部通信経路により接続され、前記プロセッサ４０３は前記メモリ４０４内のコードを実行するために用いられる。
【０１０４】
前記コードが実行されるとき、前記プロセッサ４０３により、方法の実施例における端末機器が実行する方法が実施される。ここでは、簡潔のために詳細な説明を省略する。
【０１０５】
図６は、本願の実施例に係る通信機器５００の概略ブロック図である。図６に示すように、当該通信機器５００は、プロセッサ５１０とメモリ５２０とを含む。ここで、当該メモリ５２０は、プログラムコードを格納でき、当該プロセッサ５１０は、前記メモリ５２０に格納されているプログラムコードを実行できる。
【０１０６】
選択的に、図６に示すように、当該通信機器５００は、トランシーバー５３０を含んでよく、プロセッサ５１０はトランシーバー５３０が外部と通信するように制御できる。
【０１０７】
選択的に、当該プロセッサ５１０は、メモリ５２０に格納されているプログラムコードを呼び出して、方法の実施例における端末機器の対応する操作を実行することができ、ここでは、簡潔のために詳細な説明を省略する。
【０１０８】
なお、本願の実施例におけるプロセッサは、信号の処理能力を有する集積回路チップあり得ることを理解されたい。実施プロセスにおいて、上記方法の実施例の各ステップは、プロセッサ内の、ハードウェアの論理集積回路により実施されてもソフトウェア形態のコマンドにより実施されてもよい。上記のプロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールド・プログラマブル・ゲート・アレイ（Ｆｉｅｌｄ  Ｐｒｏｇｒａｍｍａｂｌｅ  Ｇａｔｅ  Ａｒｒａｙ、ＦＰＧＡ）または他のプログラマブルロジックデバイス、ディスクリートゲートまたはトランジスタロジックデバイス、ディスクリートハードウェアコンポーネントであってもよい。本願の実施例に開示されている各方法、ステップ、及びロジックブロック図を実現または実行できる。汎用プロセッサは、マイクロプロセッサであっても、任意の従来のプロセッサなどであってもよい。本願の実施例に開示された方法を併せたステップは、ハードウェアデコードプロセッサにより実行されて完了すること、またはデコードプロセッサ内のハードウェア及びソフトウェアモジュールの組合せにより実行されて完了することにより具現化される。ソフトウェアモジュールは、ランダムアクセスメモリ、フラッシュメモリ、読み取り専用メモリ、プログラマブル読み取り専用メモリまたは電気的に消去可能なプログラマブルメモリ、及びレジスタなどの当技術分野の成熟した記憶媒体に位置することができる。当該記憶媒体はメモリに位置し、プロセッサがメモリ内の情報を読み取り、そのハードウェアと一緒に上記方法のステップを完了する。
【０１０９】
本願の実施例におけるメモリは、揮発性メモリまたは不揮発性メモリであってもよく、揮発性及び不揮発性メモリ両者を含んでもよいことが理解できる。ここで、不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）、またはフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であってもよい。限定的ではなく例示的な説明により、多くの形態のＲＡＭが使用でき、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンスメント型シンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、及びダイレクト・ラムバスランダムアクセスメモリ（Ｄｉｒｅｃｔ  Ｒａｍｂｕｓ  ＲＡＭ、ＤＲ  ＲＡＭ）がある。なお、本明細書に記載のシステム及び方法のメモリは、これらのメモリ及び任意の他の適切なタイプのメモリを含むことを意図しているが、これらに限定されないことに留意されたい。
【０１１０】
当業者は、本明細書に開示されている各実施例に記載の様々な例のユニットおよびアルゴリズムステップは、電子ハードウェア、またはコンピュータソフトウェアと電子ハードウェアの組み合わせにより実施できることを理解することができる。これらの機能をハードウェアで実行するかまたはソフトウェアで実行するかは、技術的解決手段の特定の用途及び設計上の制限条件によって異なる。プロの技術者は、各特定の用途に対して異なる方法で記載の機能を実施することができ、このような実施は、本願の範囲内のものと見なすべきである。
【０１１１】
当業者であれば、説明の便宜および簡潔さのため、上記のシステム、装置及びユニットの具体的な動作プロセスについては前述の方法の実施例の対応するプロセスを参照すればよいことを明確に理解することができ、ここでは詳細な説明を省略する。
【０１１２】
なお、本願に係るいくつかの実施例に開示されているシステム、装置及び方法は、別の形態で実施されることができる。例えば、上述した装置の実施例は、例示的なものに過ぎず、例えば、前記ユニットの分割は、論理的な機能の分割に過ぎず、実際に実施する際に他の形態で分割することもでき、例えば、複数のユニットまたは部品を組み合わせてもよく別のシステムに集積してもよく、または一部の特徴を無視するか実行しなくてもよい。また、表示または検討される相互結合、直接結合または通信接続は、一部のインターフェース、装置またはユニットを介して間接的に結合されるものまたは通信接続されるものであってもよく、電気的形態、機械的形態もしくは他の形態であってもよい。
【０１１３】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに設置されてもよい。実際の必要性に応じて、一部のユニットまたは全てのユニットを用いて当該実施例の目的を実現することができる。
【０１１４】
また、本願の各実施例において、各機能ユニットは、１つの処理ユニットに集積されても、物理的に別々の部品として存在しても、２つ以上のユニットが１つのユニットに集積されてもよい。
【０１１５】
前記機能は、ソフトウェアの機能ユニットの形態で実施されて、独立した製品として販売または使用される場合、コンピュータ可読記憶媒体に格納できる。このような理解に基づいて、本願の技術的解決手段は、本質上既存の技術に貢献がある部分或いは当該発明の一部は、ソフトウェア製品の形態で具現化されることができ、当該コンピュータソフトウェア製品は記憶媒体に格納され、コンピュータデバイス（パソコン、サーバ、またはネットワーク機器など）に本願の各実施例に係るすべての方法または一部の方法を実行させるためのいくつかのコマンドを含む。前記記憶媒体は、ＵＳＢフラッシュメモリ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プロクラムコードを格納できる様々な媒体を含む。
【０１１６】
以上、本願の具体的な実施形態について説明したが、本願の保護範囲はこれらに限定されず、当業者であれば、本願に開示された技術的範囲内で容易に変更又は置換することが想到でき、いずれも本願の保護範囲に含まれるべきである。したがって、本願の保護範囲は、特許請求の範囲によって定義されるべきである。
【図１】
2020530670.tif 000007
【図２】
2020530670.tif 000008
【図３】
2020530670.tif 000009
【図４】
2020530670.tif 000010
【図５】
2020530670.tif 000011
【図６】
2020530670.tif 000012
【手続補正書】
【提出日】令和2年6月4日(2020.6.4)
【手続補正１】
【補正対象書類名】明細書
【補正対象項目名】全文
【補正方法】変更
【補正の内容】
【発明の詳細な説明】
【技術分野】
【０００１】
本願は、通信分野に関し、より具体的には、無線通信方法及び機器に関する。
【背景技術】
【０００２】
ロング・ターム・エボリューション（Ｌｏｎｇ  Ｔｅｒｍ  Ｅｖｏｌｕｔｉｏｎ、略称「ＬＴＥ」）システムにおいて、端末機器は、セルの信号品質を取得するために、基地局から送信される参照信号を測定できる。
【０００３】
端末機器は、当該セルの信号品質に基づいて、セルの切り替えをトリガーするかどうかを決定することができる。
【発明の概要】
【発明が解決しようとする課題】
【０００４】
将来の第５世代の（５ｔｈ  ｇｅｎｅｒａｔｉｏｎ、５Ｇ）システムにおいて、セルの信号品質をどのように判定するかが解決すべき課題になっている。
【課題を解決するための手段】
【０００５】
本願の実施例は、無線通信方法及び機器を提供し、セルで送信される複数の同期信号ブロックのうちの少なくとも１つの同期信号ブロックの測定結果に基づいて、セルの信号品質を判断することができ、５Ｇシステムにおけるセル信号品質の判断を実現する。
【０００６】
第１の態様では、無線通信方法を提供し、前記方法は、
端末機器が第１のセルで送信される複数の同期信号ブロックのうちの少なくとも１つの同期信号ブロックを測定するステップと、
測定結果に基づいて、前記端末機器が前記第１のセルに対応する信号品質を確定するステップとを含む。
【０００７】
したがって、本願の実施例において、セルで送信される複数の同期信号ブロックのうちの少なくとも１つの同期信号ブロックの測定結果に基づいて、セルの信号品質を判断することができ、５Ｇシステムにおけるセル信号品質の判断を実現する。
【０００８】
第１の態様を参照して、第１の態様の可能な実施形態において、前記複数の同期信号ブロック内の各同期信号ブロックはそれぞれ異なる周波数領域リソースを占有する。
【０００９】
第１の態様またはその上記の可能な実施形態のいずれかを参照して、第１の態様の別の可能な実施形態において、前記第１のセルは、前記端末機器の現在のサービングセル及び／又は前記端末機器の隣のセルを含む。
【００１０】
第１の態様またはその上記の可能な実施形態のいずれかを参照して、第１の態様の別の可能な実施形態において、前記方法は、さらに、
前記端末機器がネットワーク機器から送信される指示情報を受信し、前記指示情報は測定対象である前記少なくとも１つの同期信号ブロックを指示するために用いられることを含む。
【００１１】
第１の態様またはその上記の可能な実施形態のいずれかを参照して、第１の態様の別の可能な実施形態において、前記第１のセルは前記端末機器の現在のサービングセルであり、前記少なくとも１つの同期信号ブロックは前記端末機器が同期している同期信号ブロックである。
【００１２】
このような実施形態によれば、端末機器が同期している同期信号ブロックのみに基づいて測定すればよいため、測定する必要がある同期信号ブロックの数が少なく、端末機器にかける負担が軽い。
【００１３】
第１の態様またはその上記の可能な実施形態のいずれかを参照して、第１の態様の別の可能な実施形態において、前記少なくとも１つの同期信号ブロックは、前記第１のセルにおけるすべての同期信号ブロックである。
【００１４】
このような実施形態によれば、端末機器は第１のセルのすべての同期信号ブロックを測定することができ、すべての同期信号ブロックの測定結果を総合して、第１のセルに対応する信号品質を確定することができる。
【００１５】
このような実施形態に対して、第１のセルが端末機器の現在のサービングセルであれば、当該コンポーネントキャリアに信号品質がよい一部の周波数リソースがあると、端末機器はイベントの報知をトリガーする必要がなく、端末機器が別のセルに切り替える確率が低下し、可能な限り当該セルの異なる周波数リソースを使用してユーザによいサービスを提供することを実現できる。
【００１６】
第１の態様またはその上記の可能な実施形態のいずれかを参照して、第１の態様の別の可能な実施形態において、前記少なくとも１つの同期信号ブロックは、前記端末機器の動作帯域幅内のすべての同期信号ブロックである。
【００１７】
このような実施形態によれば、端末機器が自分の動作帯域幅以外のＳＳ  ｂｌｏｃｋを測定することを回避することができ、端末機器の異なる周波数リソースでの過度な測定を回避することができ、端末機器が測定を行うとき、測定のために端末機器を対応する周波数リソースに調整する必要があるので、処理が複雑になる。
【００１８】
第１の態様またはその上記の可能な実施形態のいずれかを参照して、第１の態様の別の可能な実施形態において、前記少なくとも１つの同期信号ブロックは、設定された同期信号ブロックセット内のすべての同期信号ブロックである。
【００１９】
具体的には、帯域幅のコンポーネントキャリア内の１つの同期信号ブロックセットにおける同期信号ブロックを事前設定（工場出荷時の事前設定またはネットワーク機器の事前設定）して測定することができ、当該同期信号ブロックセットに含まれる同期信号ブロックを実際の状況に応じて変更できる。当該同期信号ブロックセットはセル内の全部または一部の同期信号ブロックを含んでもよい。
【００２０】
第１の態様またはその上記の可能な実施形態のいずれかを参照して、第１の態様の別の可能な実施形態において、測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果を処理して、前記第１のセルに対応する信号品質を確定することを含む。
【００２１】
第１の態様またはその上記の可能な実施形態のいずれかを参照して、第１の態様の別の可能な実施形態において、測定された前記複数の同期信号ブロックの測定結果を処理して、前記第１のセルに対応する信号品質を確定することは、
測定された前記複数の同期信号ブロックの測定結果に対して平均化処理を行って、前記第１のセルに対応する信号品質を確定することを含む。
【００２２】
第１の態様またはその上記の可能な実施形態のいずれかを参照して、第１の態様の別の可能な実施形態において、測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定することを含む。
【００２３】
第１の態様またはその上記の可能な実施形態のいずれかを参照して、第１の態様の別の可能な実施形態において、前記方法は、さらに、
前記第１のセルに対応する信号品質が第１トリガー要件を満たすとき、前記第１トリガー要件に対応する操作を実行することを含む。
【００２４】
第１の態様またはその上記の可能な実施形態のいずれかを参照して、第１の態様の別の可能な実施形態において、前記第１トリガー要件に対応する操作とは、前記第１のセルに対応する信号品質を指示する情報の報知を開始することである。
【００２５】
第１の態様またはその上記の可能な実施形態のいずれかを参照して、第１の態様の別の可能な実施形態において、前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定して取得するものである。
【００２６】
第２の態様では、上記第１の態様または第１の態様の可能な実施形態のいずれかにおける方法を実行するための端末機器を提供する。具体的には、前記端末機器は、上記第１の態様または第１の態様の可能な実施形態のいずれかにおける方法を実行するための機能モジュールを含む。
【００２７】
第３の態様では、プロセッサ、メモリ、及びトランシーバーを含む端末機器を提供する。前記プロセッサと、前記メモリと、前記トランシーバーとは、内部接続ルートを経由して互いに通信し、制御及び／又はデータ信号を伝達することにより、前記端末機器が上記第１の態様または第１の態様の可能な実施形態のいずれかにおける方法を実行する。
【００２８】
第４の態様では、コンピュータプログラムを格納するためのコンピュータ可読媒体を提供し、前記コンピュータプログラムは、上記のいずれか１つの方法または可能な実施形態のいずれを実行するためのコマンドを含む。
【００２９】
第５の態様では、コマンドを含むコンピュータプログラム製品を提供し、それがコンピュータ上で実行されると、コンピュータが上記のいずれか１つの方法または可能な実施形態のいずれかにおける方法を実行する。
【図面の簡単な説明】
【００３０】
本願の実施例の技術的解決手段をより明確に説明するために、以下、実施例または既存技術の説明に必要な添付図面を簡単に説明するが、以下の説明における添付図面は、本願の一部の実施例にすぎず、当業者であれば、創造的な働きなしにこれらの添付図面に基づいて他の添付図面を取得することもできることは明らかである。
【図１】本願の実施例の無線通信システムの概略図である。
【図２】本願の実施例の無線通信方法の概略フローチャートである。
【図３】本願の実施例の同期信号ブロックの概略分布図である。
【図４】本願の実施例の端末機器の概略ブロック図である。
【図５】本願の実施例のシステムチップの概略ブロック図である。
【図６】本願の実施例の通信機器の概略ブロック図である。
【発明を実施するための形態】
【００３１】
以下、本願の実施例における添付図面を参照しながら、本願の実施例における技術的解決手段について説明を行うが、説明された実施例は本願の一部にすぎず、全部の実施例ではない。本願の実施例に基づいて、当業者が創造的な働きなしに得た他の実施例は、いずれも本発明の保護範囲に属すことは明らかである。
【００３２】
本願の実施例の技術的解決手段は様々な通信システム、例えば、グローバルなモバイル通信（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロング・ターム・エボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）システム、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システムまたは将来の５Ｇシステム（新しい無線（Ｎｅｗ  Ｒａｄｉｏ、ＮＲ）システムとも呼ばれる）などに適用されることができる。
【００３３】
図１は、本願の実施例に適用される無線通信システム１００を示す。無線通信システム１００は、ネットワーク機器１１０を含んでもよい。ネットワーク機器１１０は、端末機器と通信する機器であってもよい。ネットワーク機器１１０は、特定の地理的地域に通信サービスを提供し、当該サービスエリア内に位置する端末機器（例えばＵＥ）と通信することができる。一実施例において、当該ネットワーク機器１１０は、ＧＳＭシステムまたはＣＤＭＡシステムにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｕｔｉｏｎａｌ  Ｎｏｄｅ  Ｂ、略称ｅＮＢまたはｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）における無線コントローラであってもよく、または当該ネットワーク機器は、中継局、アクセスポイント、車載機器、ウェアラブル機器、将来の５Ｇネットワークにおけるネットワーク側機器もしくは将来の進化型地上波公共移動通信ネットワーク（Ｐｕｂｌｉｃ  ｌａｎｄ  ｍｏｂｉｌｅ  ｎｅｔｗｏｒｋ、略称ＰＬＭＮ）におけるネットワーク機器などであってもよい。
【００３４】
無線通信システム１００は、さらに、ネットワーク機器１１０のサービス範囲内に位置する少なくとも１つの端末機器１２０を含む。端末機器１２０は、移動型であっても固定型であってもよい。一実施例において、端末機器１２０は、アクセス端末、ユーザ機器（Ｕｓｅｒ  Ｅｑｕｉｐｍｅｎｔ、略称ＵＥ）、ユーザユニット、加入者局、移動局、モバイルステーション、遠隔局、遠隔端末、移動機器、ユーザ端末、端末、無線通信機器、ユーザ代理機器またはユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスタント（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器または無線モデムに接続されたその他の処理機器、車載機器、ウェアラブル機器、将来の５Ｇネットワークにおける端末機器または将来の進化型ＰＬＭＮにおける端末機器などであってもよい。
【００３５】
一実施例において、端末機器１２０同士は端末間直接通信（Ｄｅｖｉｃｅ  ｔｏ  Ｄｅｖｉｃｅ、Ｄ２Ｄ）を行うができる。
【００３６】
一実施例において、５Ｇシステムまたはネットワークは、更に新しい無線（Ｎｅｗ  Ｒａｄｉｏ、ＮＲ）システムまたはネットワークとも呼ばれる。
【００３７】
図１は、１つのネットワーク機器及び２つの端末機器を例示的に示し、一実施例において、当該無線通信システム１００は、複数のネットワーク機器を含んでもよく、各ネットワーク機器のサービスエリアに含まれている端末機器の数は異なってもよく、本願の実施例ではこれについて限定しない。
【００３８】
一実施例において、当該無線通信システム１００は、さらに、ネットワークコントローラ、移動管理エンティティなどの他のネットワークエンティティを含んでもよく、本願の実施例ではこれについて限定しない。
【００３９】
本明細書において、用語「システム」と「ネットワーク」はよく交換的用語として使用される。本明細書において、用語「及び／又は」は、関連対象の関連関係を説明するだけのもので、３つの関係があり得ることを表すと理解すべきである。例えば、Ａ及び／又はＢは、Ａだけある場合、ＡとＢ両方ともある場合、及びＢだけある場合という３つの場合を表す。また、本明細書において、符号「／」は、一般的にコンテキストオブジェクトが「または」という関係であることを示す。
【００４０】
図２は、本願の実施例に係る無線通信方法２００の概略フローチャートである。一実施例において、当該方法２００は、図１に示すシステムに適用できるが、これに限定されない。図２に示すように、方法２００は、少なくとも以下の内容の一部を含む。
【００４１】
ステップ２１０において、端末機器が第１のセルで送信される複数の同期信号ブロックのうちの少なくとも１つの同期信号ブロックを測定する。
【００４２】
一実施例において、本願の実施例のセルはキャリア（コンポーネントキャリア）と同等なものであり得る。
【００４３】
本願の実施例において、前記複数の同期信号ブロック（Ｓｙｎｃｈｒｏｎｉｚａｔｉｏｎ  Ｓｉｇｎａｌ  Ｂｌｏｃｋ、ＳＳＢ）内の各同期信号ブロックはそれぞれ異なる周波数領域リソースを占有する。同期信号ブロック同士間の周波数領域リソースを選択的に重畳しないようにする。
【００４４】
５Ｇシステムの場合、帯域幅が非常に広い広帯域のコンポーネントキャリア、例えば帯域幅が４００ＭＨｚ、さらに１ＧＨｚの広帯域のコンポーネントキャリアをサポートできる。非常に広い帯域幅を有する広帯域のコンポーネントキャリアである場合、異なる周波数位置の伝達特性が大きく異なる可能性がある。例えば、広帯域のコンポーネントキャリアの高周波数帯と低周波数帯での経路損失などが大きく異なる。これに基づいて、帯域幅のコンポーネントキャリア内で複数の同期信号（Ｓｙｎｃｈｒｏｎｉｚａｔｉｏｎ  Ｓｉｇｎａｌ、ＳＳ）  Ｂｌｏｃｋを送信できる。
【００４５】
端末機器の場合、使用シナリオ及びコストが異なることを考慮して、同じシステムの広帯域のコンポーネントキャリア内に様々な動作帯域幅を有する端末が分散され、例えばシステムの帯域幅が４００ＭＨｚであれば、帯域幅が４００ＭＨｚの端末が分散される可能性があり、また帯域幅が１００ＭＨｚ、４０ＭＨｚ、１０ＭＨｚの端末機器が分散されている可能性もある。すると、システム広帯域のコンポーネントキャリア内にＳＳ  ｂｌｏｃｋの位置が１つしかない場合、動作帯域幅が狭い端末の動作帯域幅内にはＳＳ  ｂｌｏｃｋがない可能性があり、したがって、端末機器の動作帯域幅または附近にＳＳ  Ｂｌｏｃｋがある確率が増加するように、送信されるＳＳ  Ｂｌｏｃｋの位置を増加してもよい。ここで、端末機器は時間周波数同期、無線リソース管理（Ｒａｄｉｏ  Ｒｅｓｏｕｒｃｅ  Ｍａｎａｇｅｍｅｎｔ、ＲＲＭ）測定の実施及び物理ブロードキャストチャネル（Ｐｈｙｓｉｃａｌ  Ｂｒｏａｄｃａｓｔｉｎｇ  Ｃｈａｎｎｅｌ、ＰＢＣＨ）の読み取りのためにＳＳ  Ｂｌｏｃｋを受信する必要があるとき、ＳＳ  ｂｌｏｃｋがある周波数位置まで周波数変調することができる。
【００４６】
５Ｇシステムにおいて、ネットワーク機器は端末機器に複数の同期信号ブロック（Ｓｙｎｃｈｒｏｎｉｚａｔｉｏｎ  Ｓｉｇｎａｌ  ｂｌｏｃｋ）を含むＳＳ  ｂｕｒｓｔ  ｓｅｔを送信でき、各々のＳＳ  ｂｌｏｃｋ（ＳＳＢ）内に、プライマリ同期信号（Ｐｒｉｍａｒｙ  Ｓｙｎｃｈｒｏｎｉｚａｔｉｏｎ  Ｓｉｇｎａｌ、ＰＳＳ）、セカンダリ同期信号（Ｓｅｃｏｎｄａｒｙ  Ｓｙｎｃｈｒｏｎｉｚａｔｉｏｎ  Ｓｉｇｎａｌ、ＳＳＳ）、及び物理ブロードキャストチャネル（Ｐｈｙｓｉｃａｌ  Ｂｒｏａｄｃａｓｔｉｎｇ  Ｃｈａｎｎｅｌ、ＰＢＣＨ）を含む。また、ＳＳ  ｂｌｏｃｋのシステム帯域幅内での周波数位置はシステム帯域幅の中心周波数点位置に限定されない。例えば、図３に示すように、帯域幅のコンポーネントキャリアの帯域幅内でＳＳＢ１、ＳＳＢ２、ＳＳＢ３、及びＳＳＢ４を送信でき、当該４つのＳＳＢは異なる周波数領域リソースを占有できる。
【００４７】
一実施例において、本願の実施例において、前記第１のセルは、前記端末機器の現在のサービングセルまたは前記端末機器の隣のセルである。ここで、当該隣のセルは端末機器に属するサービングセルと、同じネットワーク（例えば、両方ともＮＲシステムである）に属してもよく、または異なるネットワーク（例えば、サービングセルはＮＲシステムに属し、隣のセルはＬＴＥシステムに属す）に属してもよい。
【００４８】
本願の実施例において、ネットワーク機器は端末機器に、測定対象である少なくとも１つの同期信号ブロックを指示するための指示情報を送信してもよく、端末機器はネットワーク機器から送信される指示情報に基づいて、対応する同期信号ブロック上で測定してもよい。
【００４９】
本実施例において、端末機器に測定が必要な同期信号ブロックを事前に設定（工場出荷時の事前設定）してもよく、ネットワーク機器が指示する必要がない。
【００５０】
ステップ２２０において、測定結果に基づいて、前記端末機器が前記第１のセルに対応する信号品質を確定する。
【００５１】
一実施例において、本願の実施例に係る測定結果は、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、またはＲＳＲＰに類似する信号強度などのような信号強度を含んでもよく、及び／又は、参照信号受信品質（Ｒｅｆｅｒｅｎｃｅ  Ｓｉｇｎａｌ  Ｒｅｃｅｉｖｉｎｇ    Ｑｕａｌｉｔｙ、ＲＳＲＱ）、信号対干渉および雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、またはＲＳＲＱやＳＩＮＲに類似する値のような信号対干渉の関係値を含んでもよい。
【００５２】
一実施例において、測定される同期信号ブロックが複数の同期信号ブロックを含む場合、測定された前記複数の同期信号ブロックの測定結果を処理して、前記第１のセルに対応する信号品質を確定する。
【００５３】
具体的には、測定された前記複数の同期信号ブロックの測定結果に対して平均化処理を行って、前記第１のセルに対応する信号品質を確定する。ここで、当該処理は、算術平均化処理であっても、加重平均化処理であってもよい。
【００５４】
本願の実施例において、測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定する。
【００５５】
１つの実施形態において、前記第１のセルは前記端末機器の現在のサービングセルであり、測定される前記少なくとも１つの同期信号ブロックは前記端末機器が同期している同期信号ブロックである。
【００５６】
このような実施形態によれば、端末機器が同期している同期信号ブロックのみに基づいて測定すればよいため、測定する必要がある同期信号ブロックの数が少なく、端末機器にかける負担が軽い。
【００５７】
端末機器が同期している同期信号ブロックを測定するとき、当該測定される同期信号ブロックは１つのみであり、１つの同期信号の測定結果を第１のセルに対応する信号品質として確定できる。
【００５８】
１つの実施形態において、測定される前記少なくとも１つの同期信号ブロックは、前記第１のセルにおけるすべての同期信号ブロックである。
【００５９】
このような実施形態によれば、端末機器は第１のセルのすべての同期信号ブロックを測定することができ、すべての同期信号ブロックの測定結果を総合して、第１のセルに対応する信号品質を確定することができる。
【００６０】
このような実施形態に対して、第１のセルが端末機器の現在のサービングセルであれば、当該コンポーネントキャリアに信号品質がよい一部の周波数リソースがあると、端末機器はイベントの報知をトリガーする必要がなく、端末機器が別のセルに切り替える確率が低下し、可能な限り当該セルの異なる周波数リソースを使用してユーザによいサービスを提供することを実現できる。
【００６１】
１つの実施形態において、測定される前記少なくとも１つの同期信号ブロックは、前記端末機器の動作帯域幅内のすべての同期信号ブロックである。
【００６２】
具体的には、端末機器は自体の動作帯域幅で検出された同期信号ブロックを測定できる。
【００６３】
例えば、ネットワーク側から見て、１つのコンポーネントキャリアは４００ＭＨｚであり、１００ＭＨｚあたりに１つのＳＳ  ｂｌｏｃｋを含み、ＵＥ自体の帯域幅は２００ＭＨｚであり、対応するコンポーネントキャリアの低周波数２００ＭＨｚが２つのＳＳ  ｂｌｏｃｋをカバーすると、この２つのＳＳ  ｂｌｏｃｋを測定する。
【００６４】
このような実施形態によれば、端末機器が自分の動作帯域幅以外のＳＳ  ｂｌｏｃｋを測定することを回避することができ、端末機器の異なる周波数リソースでの過度な測定を回避することができ、端末機器が測定を行うとき、測定のために端末機器を対応する周波数リソースに調整する必要があるので、処理が複雑になる。
【００６５】
１つの実施形態において、前記少なくとも１つの同期信号ブロックは、設定された同期信号ブロックセット内のすべての同期信号ブロックである。
【００６６】
具体的には、帯域幅のコンポーネントキャリア内の１つの同期信号ブロックセットにおける同期信号ブロックを事前設定（工場出荷時の事前設定またはネットワーク機器事前設定）して測定してもよく、当該同期信号ブロックセットは、同期信号ブロックを含み、実際の状況に応じて変更できる。当該同期信号ブロックセットは、セル内の全部または一部の同期信号ブロックを含んでもよい。
【００６７】
一実施例において、本願の実施例において、前記第１のセルに対応する信号品質が第１トリガー要件を満たすとき、前記第１トリガー要件に対応する操作を実行する。
【００６８】
１つの実施形態において、前記第１トリガー要件に対応する操作とは、前記第１のセルに対応する信号品質を指示する情報の報知を開始することである。
【００６９】
例えば、第１のセルが端末機器の現在のサービングセルである場合、第１のセルに対応する信号品質が特定値より悪ければ、端末機器は第１のセルに対応する信号品質を指示する情報の報知を開始してもよく、それにより端末機器は当該情報に基づいて、端末機器のセルを切り替える否かを確定する。
【００７０】
例えば、第１のセルが端末機器に隣接するセルである場合、第１のセルに対応する信号品質が特定値より良ければ、端末機器は第１のセルに対応する信号品質を指示する情報の報知を開始してもよく、それにより端末機器は当該情報に基づいて、端末機器のセルを切り替えるか否かを確定することができる。
【００７１】
例えば、第１のセルが端末機器の現在のサービングセル及び隣接するセルを含む場合、現在のサービングセルに対応する信号品質が特定値より悪く、且つ端末機器の隣のセルの信号品質が特定値より良ければ、端末機器は当該現在のサービングセル及び隣接するセルの信号品質を指示する情報の報知を開始してもよく、それにより端末機器は当該情報に基づいて、端末機器のセルを切り替えるか否かを確定する。
【００７２】
１つの実施形態において、前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定することによって取得されたものである。
【００７３】
例えば、第１のセルが端末機器の現在のサービングセルである場合、第１のセルに対応する信号品質が特定値より悪ければ、端末機器は隣接するセルの同期信号ブロック及び／又は参照信号を測定してもよく、及び／又は当該隣接するセルに対応する信号品質を指示する情報の報知を開始してもよく、後続のセルの切り替えをする可能性のために備えておく。
【００７４】
例えば、第１のセルが端末機器に隣接するセルである場合、第１のセルに対応する信号品質が特定値より悪ければ、端末機器は他の隣接するセルの同期信号ブロック及び／又は参照信号を測定してもよく、及び／又は当該他の隣接するセルに対応する信号品質を指示する情報の報知を開始してもよく、後続の可能なセルの切り替えのために準備する。
【００７５】
一実施例において、本願の実施例に係る参照信号は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，  ＣＳＩ−ＲＳ）または下りセル固有信号（Ｃｅｌｌ−Ｓｐｅｃｉｆｉｃ  Ｒｅｆｅｒｅｎｃｅ  Ｓｉｇｎａｌ、ＣＲＳ）であってもよい。
【００７６】
一実施例において、当該第２のセルは、第１のセルと同じネットワークまたは異なるネットワークであってもよい。
【００７７】
理解を容易にするために、以下では幾つのイベントを組み合わせて説明する。
【００７８】
イベントＡ１  （Ｓｅｒｖｉｎｇ  ｂｅｃｏｍｅｓ  ｂｅｔｔｅｒ  ｔｈａｎ  ｔｈｒｅｓｈｏｌｄ）：サービングセルの信号品質が特定の閾値より高いことを表し、この要件を満たすイベントが報知されると、ネットワーク機器が異なる周波数／異なるシステムの測定を中止できる。
【００７９】
イベント  Ａ２  （Ｓｅｒｖｉｎｇ  ｂｅｃｏｍｅｓ  ｗｏｒｓｅ  ｔｈａｎ  ｔｈｒｅｓｈｏｌｄ）：サービングセル信号品質が特定の閾値より低いことを表し、この要件を満たすイベントが報知されると、ネットワーク機器が異なる周波数／異なるシステムの測定を開始できる。
【００８０】
イベントＡ３  （Ｎｅｉｇｈｂｏｕｒ  ｂｅｃｏｍｅｓ  ｏｆｆｓｅｔ  ｂｅｔｔｅｒ  ｔｈａｎ  ｓｅｒｖｉｎｇ）：周波数が同じである隣のセルの信号品質がサービングセルの信号品質より良いことを表し、この要件を満たすイベントが報知されると、ネットワーク機器は周波数が同じであるものとのハンドオーバ要求を開始する。
【００８１】
イベントＡ４  （Ｎｅｉｇｈｂｏｕｒ  ｂｅｃｏｍｅｓ  ｂｅｔｔｅｒ  ｔｈａｎ  ｔｈｒｅｓｈｏｌｄ）：周波数が異なる隣のセルの信号品質が特定の閾値より高いことを表し、この要件を満たすイベントが報知されると、ネットワーク機器は周波数が異なるものとのハンドオーバ要求を開始する。
【００８２】
イベント  Ａ５  （Ｓｅｒｖｉｎｇ  ｂｅｃｏｍｅｓ  ｗｏｒｓｅ  ｔｈａｎ  ｔｈｒｅｓｈｏｌｄ１  ａｎｄ  ｎｅｉｇｈｂｏｕｒ  ｂｅｃｏｍｅｓ  ｂｅｔｔｅｒ  ｔｈａｎ  ｔｈｒｅｓｈｏｌｄ２）：サービングセルの信号品質が特定の閾値より低く且つ隣のセルの信号品質が特定の閾値より高いことを表す。
【００８３】
イベント  Ｂ１  （Ｉｎｔｅｒ  ＲＡＴ  ｎｅｉｇｈｂｏｕｒ  ｂｅｃｏｍｅｓ  ｂｅｔｔｅｒ  ｔｈａｎ  ｔｈｒｅｓｈｏｌｄ）：システムが異なる隣のセルの信号品質が特定の閾値より高いことを表し、この要件を満たすイベントが報知されると、ネットワーク機器はシステムが異なるものとのハンドオーバ要求を開始する。
【００８４】
イベントＢ２  （Ｓｅｒｖｉｎｇ  ｂｅｃｏｍｅｓ  ｗｏｒｓｅ  ｔｈａｎ  ｔｈｒｅｓｈｏｌｄ１  ａｎｄ  ｉｎｔｅｒ  ＲＡＴ  ｎｅｉｇｈｂｏｕｒ  ｂｅｃｏｍｅｓ  ｂｅｔｔｅｒ  ｔｈａｎ  ｔｈｒｅｓｈｏｌｄ２）：サービングセルの信号品質が特定の閾値より低く且つ異なるシステムの隣のセルの信号品質が特定の閾値より高いことを表す。
【００８５】
上記イベントをより明確に理解するために、以下、Ａ２及びＡ３イベントを組み合わせて詳細に説明する。
【００８６】
2020530670.tif 000013
【００８７】
2020530670.tif 000014
【００８８】
なお、本願の実施例における測定の報知をトリガーするイベントは、他のイベントであってもよく、本願の実施例の構成は以上のイベントに特に限定されないものであることを理解されたい。
【００８９】
したがって、本願の実施例において、セルで送信される複数の同期信号ブロックのうちの少なくとも１つの同期信号ブロックの測定結果に基づいて、セルの信号品質を確定できるので、５Ｇシステムにおけるセルの信号品質の判断を実現する。
【００９０】
図４は、本願の実施例に係る端末機器３００の概略ブロック図である。図４に示すように、当該端末機器３００は、
第１のセルで送信される複数の同期信号ブロックのうちの少なくとも１つの同期信号ブロックを測定するために用いられる測定ユニット３１０と、
測定結果に基づいて、前記第１のセルに対応する信号品質を確定するために用いられる確定ユニット３２０とを含む。
【００９１】
一実施例において、前記複数の同期信号ブロック内の各同期信号ブロックはそれぞれ異なる周波数領域リソースを占有する。
【００９２】
一実施例において、前記第１のセルは、前記端末機器の現在のサービングセルまたは前記端末機器の隣のセルである。
【００９３】
一実施例において、図４に示すように、前記端末機器３００は、さらに、
ネットワーク機器から送信される指示情報を受信するために用いられ、ただし、前記指示情報は測定対象である前記少なくとも１つの同期信号ブロックを指示するために用いられる通信ユニット３３０を含む。
【００９４】
一実施例において、前記第１のセルは前記端末機器の現在のサービングセルであり、前記少なくとも１つの同期信号ブロックは前記端末機器が同期している同期信号ブロックである。
【００９５】
一実施例において、前記少なくとも１つの同期信号ブロックは、前記第１のセルにおけるすべての同期信号ブロックである。
【００９６】
一実施例において、前記少なくとも１つの同期信号ブロックは、前記端末機器の動作帯域幅内のすべての同期信号ブロックである。
【００９７】
一実施例において、前記少なくとも１つの同期信号ブロックは、設定された同期信号ブロックセット内のすべての同期信号ブロックである。
【００９８】
一実施例において、前記確定ユニット３２０は、さらに、
測定される同期信号ブロックが複数の同期信号ブロックを含む場合、測定された前記複数の同期信号ブロックの測定結果を処理して、前記第１のセルに対応する信号品質を確定するために用いられる。
【００９９】
一実施例において、図４に示すように、前記端末機器は、さらに、
前記第１のセルに対応する信号品質が第１トリガー要件を満たすとき、前記第１トリガー要件に対応する操作を実行するために用いられる実行ユニット３４０を含む。
【０１００】
一実施例において、前記第１トリガー要件に対応する操作とは、前記第１のセルに対応する信号品質を指示する情報の報知を開始することである。
【０１０１】
一実施例において、前記第１トリガー要件に対応する操作とは、第２のセルで送信される同期信号ブロック及び／又は参照信号を測定すること、及び／又は前記第２のセルに対応する信号品質を指示する情報の報知を開始することであり、ここで、前記第２のセルに対応する信号品質は、第２のセルで送信される同期信号ブロック及び／又は参照信号を測定することによって取得されたものである。
【０１０２】
なお、当該端末機器３００は、方法の実施例における端末機器に対応でき、当該方法の実施例で端末機器により実施される操作を実現できることを理解されたい。ここでは、簡潔のために詳細な説明を省略する。
【０１０３】
図５は、本願の実施例のシステムチップ４００の１つの概略構造図である。図５のシステムチップ４００は、入力インターフェース４０１と、出力インターフェース４０２とを含み、前記プロセッサ４０３とメモリ４０４との間は内部通信経路により接続され、前記プロセッサ４０３は前記メモリ４０４内のコードを実行するために用いられる。
【０１０４】
前記コードが実行されるとき、前記プロセッサ４０３により、方法の実施例における端末機器が実行する方法が実施される。ここでは、簡潔のために詳細な説明を省略する。
【０１０５】
図６は、本願の実施例に係る通信機器５００の概略ブロック図である。図６に示すように、当該通信機器５００は、プロセッサ５１０とメモリ５２０とを含む。ここで、当該メモリ５２０は、プログラムコードを格納でき、当該プロセッサ５１０は、前記メモリ５２０に格納されているプログラムコードを実行できる。
【０１０６】
一実施例において、図６に示すように、当該通信機器５００は、トランシーバー５３０を含んでよく、プロセッサ５１０はトランシーバー５３０が外部と通信するように制御できる。
【０１０７】
一実施例において、当該プロセッサ５１０は、メモリ５２０に格納されているプログラムコードを呼び出して、方法の実施例における端末機器の対応する操作を実行することができ、ここでは、簡潔のために詳細な説明を省略する。
【０１０８】
なお、本願の実施例におけるプロセッサは、信号の処理能力を有する集積回路チップあり得ることを理解されたい。実施プロセスにおいて、上記方法の実施例の各ステップは、プロセッサ内の、ハードウェアの論理集積回路により実施されてもソフトウェア形態のコマンドにより実施されてもよい。上記のプロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールド・プログラマブル・ゲート・アレイ（Ｆｉｅｌｄ  Ｐｒｏｇｒａｍｍａｂｌｅ  Ｇａｔｅ  Ａｒｒａｙ、ＦＰＧＡ）または他のプログラマブルロジックデバイス、ディスクリートゲートまたはトランジスタロジックデバイス、ディスクリートハードウェアコンポーネントであってもよい。本願の実施例に開示されている各方法、ステップ、及びロジックブロック図を実現または実行できる。汎用プロセッサは、マイクロプロセッサであっても、任意の従来のプロセッサなどであってもよい。本願の実施例に開示された方法を併せたステップは、ハードウェアデコードプロセッサにより実行されて完了すること、またはデコードプロセッサ内のハードウェア及びソフトウェアモジュールの組合せにより実行されて完了することにより具現化される。ソフトウェアモジュールは、ランダムアクセスメモリ、フラッシュメモリ、読み取り専用メモリ、プログラマブル読み取り専用メモリまたは電気的に消去可能なプログラマブルメモリ、及びレジスタなどの当技術分野の成熟した記憶媒体に位置することができる。当該記憶媒体はメモリに位置し、プロセッサがメモリ内の情報を読み取り、そのハードウェアと一緒に上記方法のステップを完了する。
【０１０９】
本願の実施例におけるメモリは、揮発性メモリまたは不揮発性メモリであってもよく、揮発性及び不揮発性メモリ両者を含んでもよいことが理解できる。ここで、不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）、またはフラッシュメモリであってもよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であってもよい。限定的ではなく例示的な説明により、多くの形態のＲＡＭが使用でき、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンスメント型シンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、及びダイレクト・ラムバスランダムアクセスメモリ（Ｄｉｒｅｃｔ  Ｒａｍｂｕｓ  ＲＡＭ、ＤＲ  ＲＡＭ）がある。なお、本明細書に記載のシステム及び方法のメモリは、これらのメモリ及び任意の他の適切なタイプのメモリを含むことを意図しているが、これらに限定されないことに留意されたい。
【０１１０】
当業者は、本明細書に開示されている各実施例に記載の様々な例のユニットおよびアルゴリズムステップは、電子ハードウェア、またはコンピュータソフトウェアと電子ハードウェアの組み合わせにより実施できることを理解することができる。これらの機能をハードウェアで実行するかまたはソフトウェアで実行するかは、技術的解決手段の特定の用途及び設計上の制限条件によって異なる。プロの技術者は、各特定の用途に対して異なる方法で記載の機能を実施することができ、このような実施は、本願の範囲内のものと見なすべきである。
【０１１１】
当業者であれば、説明の便宜および簡潔さのため、上記のシステム、装置及びユニットの具体的な動作プロセスについては前述の方法の実施例の対応するプロセスを参照すればよいことを明確に理解することができ、ここでは詳細な説明を省略する。
【０１１２】
なお、本願に係るいくつかの実施例に開示されているシステム、装置及び方法は、別の形態で実施されることができる。例えば、上述した装置の実施例は、例示的なものに過ぎず、例えば、前記ユニットの分割は、論理的な機能の分割に過ぎず、実際に実施する際に他の形態で分割することもでき、例えば、複数のユニットまたは部品を組み合わせてもよく別のシステムに集積してもよく、または一部の特徴を無視するか実行しなくてもよい。また、表示または検討される相互結合、直接結合または通信接続は、一部のインターフェース、装置またはユニットを介して間接的に結合されるものまたは通信接続されるものであってもよく、電気的形態、機械的形態もしくは他の形態であってもよい。
【０１１３】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに設置されてもよい。実際の必要性に応じて、一部のユニットまたは全てのユニットを用いて当該実施例の目的を実現することができる。
【０１１４】
また、本願の各実施例において、各機能ユニットは、１つの処理ユニットに集積されても、物理的に別々の部品として存在しても、２つ以上のユニットが１つのユニットに集積されてもよい。
【０１１５】
前記機能は、ソフトウェアの機能ユニットの形態で実施されて、独立した製品として販売または使用される場合、コンピュータ可読記憶媒体に格納できる。このような理解に基づいて、本願の技術的解決手段は、本質上既存の技術に貢献がある部分或いは当該発明の一部は、ソフトウェア製品の形態で具現化されることができ、当該コンピュータソフトウェア製品は記憶媒体に格納され、コンピュータデバイス（パソコン、サーバ、またはネットワーク機器など）に本願の各実施例に係るすべての方法または一部の方法を実行させるためのいくつかのコマンドを含む。前記記憶媒体は、ＵＳＢフラッシュメモリ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プロクラムコードを格納できる様々な媒体を含む。
【０１１６】
以上、本願の具体的な実施形態について説明したが、本願の保護範囲はこれらに限定されず、当業者であれば、本願に開示された技術的範囲内で容易に変更又は置換することが想到でき、いずれも本願の保護範囲に含まれるべきである。したがって、本願の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
端末機器が第１のセルで送信される複数の同期信号ブロックのうちの少なくとも１つの同期信号ブロックを測定するステップと、
測定結果に基づいて、前記端末機器が前記第１のセルに対応する信号品質を確定するステップとを含む、ことを特徴とする無線通信方法。
【請求項２】
前記方法は、さらに、
前記端末機器がネットワーク機器から送信される指示情報を受信し、前記指示情報は測定対象である前記少なくとも１つの同期信号ブロックを指示するために用いられることを含む、ことを特徴とする請求項１に記載の方法。
【請求項３】
前記少なくとも１つの同期信号ブロックは、前記第１のセルにおけるすべての同期信号ブロック、前記端末機器の動作帯域幅内のすべての同期信号ブロック、又は設定された同期信号ブロックセット内のすべての同期信号ブロックであることを特徴とする請求項１又は２に記載の方法。
【請求項４】
測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果を処理して、前記第１のセルに対応する信号品質を確定することを含む、ことを特徴とする請求項１〜請求項３のいずれか１項に記載の方法。
【請求項５】
測定結果に基づいて、前記端末機器が前記第１のセルに対応する信号品質を確定する前記ステップは、
測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定することを含む、ことを特徴とする請求項１〜請求項３のいずれか１項に記載の方法。
【請求項６】
前記方法は、さらに、
前記第１のセルに対応する信号品質が第１トリガー要件を満たすとき、前記第１トリガー要件に対応する操作を実行することを含む、ことを特徴とする請求項１〜請求項５のいずれか１項に記載の方法。
【請求項７】
前記第１トリガー要件に対応する操作は、前記第１のセルに対応する信号品質を指示する情報の報知を開始することを含み、又は
前記第１トリガー要件に対応する操作は、第２のセルで送信される同期信号ブロック及び参照信号の中の少なくとも１つを測定すること、及び前記第２のセルに対応する信号品質を指示する情報の報知を開始することの中の少なくとも１つを含み、ここで、前記第２のセルに対応する信号品質は、第２のセルで送信される同期信号ブロック及び参照信号の中の少なくとも１つを測定することによって取得されたものである、ことを特徴とする請求項６に記載の方法。
【請求項８】
第１のセルで送信される複数の同期信号ブロックのうちの少なくとも１つの同期信号ブロックを測定するために用いられる測定ユニットと、
測定結果に基づいて、前記第１のセルに対応する信号品質を確定するために用いられる確定ユニットとを含む、ことを特徴とする端末機器。
【請求項９】
前記複数の同期信号ブロック内の各同期信号ブロックはそれぞれ異なる周波数領域リソースを占有する、ことを特徴とする請求項８に記載の端末機器。
【請求項１０】
前記端末機器は、さらに、
ネットワーク機器から送信される指示情報を受信するために用いられ、ただし、前記指示情報は測定対象である前記少なくとも１つの同期信号ブロックを指示するために用いられる通信ユニットを含む、ことを特徴とする請求項８又は９に記載の端末機器。
【請求項１１】
前記少なくとも１つの同期信号ブロックは、前記第１のセルにおけるすべての同期信号ブロック、前記端末機器の動作帯域幅内のすべての同期信号ブロック、又は設定された同期信号ブロックセット内のすべての同期信号ブロックであることを特徴とする請求項８〜請求項１０のいずれか１項に記載の端末機器。
【請求項１２】
前記確定ユニットは、さらに、
測定される同期信号ブロックが複数の同期信号ブロックを含む場合、測定された前記複数の同期信号ブロックの測定結果を処理して、前記第１のセルに対応する信号品質を確定するために用いられる、ことを特徴とする請求項８〜請求項１１のいずれか１項に記載の端末機器。
【請求項１３】
前記確定ユニットは、さらに、
測定される同期信号ブロックが複数の同期信号ブロックを含む場合、測定された前記複数の同期信号ブロックの測定結果のうち、信号品質が最良の結果または信号品質が最悪の結果を前記第１のセルに対応する信号品質として確定するために用いられる、ことを特徴とする請求項８〜請求項１１のいずれか１項に記載の端末機器。
【請求項１４】
前記端末機器は、さらに、
前記第１のセルに対応する信号品質が第１トリガー要件を満たすとき、前記第１トリガー要件に対応する操作を実行するために用いられる実行ユニットを含む、ことを特徴とする請求項８〜請求項１３のいずれか１項に記載の端末機器。
【請求項１５】
前記第１トリガー要件に対応する操作は、前記第１のセルに対応する信号品質を指示する情報の報知を開始することを含み、又は
前記第１トリガー要件に対応する操作は、第２のセルで送信される同期信号ブロック及び参照信号の中の少なくとも１つを測定すること、及び前記第２のセルに対応する信号品質を指示する情報の報知を開始することの中の少なくとも１つを含み、ここで、前記第２のセルに対応する信号品質は、第２のセルで送信される同期信号ブロック及び参照信号の中の少なくとも１つを測定することによって取得されたものである、ことを特徴とする請求項１４に記載の端末機器。
【国際調査報告】
2020530670.tif 000015
2020530670.tif 000016
2020530670.tif 000017
2020530670.tif 000018